【手続補正書】
【提出日】平成28年12月22日(2016.12.22)
【手続補正１】
【補正対象書類名】明細書
【補正対象項目名】０１２７
【補正方法】変更
【補正の内容】
【０１２７】
本発明の趣旨及び範囲から逸脱することなく本発明の様々な改変及び変更を行いうることは当業者には明白であり、本発明が本明細書に記載される代表的な実施形態に限定されないことは理解されるはずである。読者は、特に断らないかぎり、開示された１つの実施形態の特徴は開示される他のすべての実施形態に適用可能であることを仮定するべきである。本明細書で参照されるすべての米国特許、特許出願公開、並びに他の特許及び非特許文献は、それらが上記の開示内容と矛盾を生じない範囲で援用されるものである点も理解されるべきである。本発明の実施態様の一部を以下の項目［１］−［３１］に記載する。
［１］
色覚異常を有する個人の色識別性を改善する用途に好適なフィルターであって、
設計入射角において、少なくとも５０％という４２０〜６８０ｎｍの平均内部透過率を有する多層光学フィルムであって、更に、前記設計入射角において、６０ｎｍ以下の幅（ＦＷＨＭ）を有する反射帯域と関連付けられ、５５０ｎｍを含む幅１０ｎｍの波長範囲にわたって１０％以下という平均内部透過率を有する、多層光学フィルムと、
前記多層光学フィルムの一方の面に配置された、緑色光を選択的に吸収する吸収性マゼンタ層と、を含む、フィルター。
［２］
前記フィルムが前記設計入射角において、前記幅１０ｎｍの波長範囲にわたって５％以下という平均内部透過率を有する、項目１に記載のフィルター。
［３］
前記フィルムが前記設計入射角において、前記幅１０ｎｍの波長範囲にわたって、２％以下、又は１％以下という平均内部透過率を有する、項目２に記載のフィルター。
［４］
前記フィルムが前記設計入射角において、１０％以下という、５５０ｎｍにおける内部透過率を有する、項目１に記載のフィルター。
［５］
前記フィルムが前記設計入射角において、５％以下、又は２％以下、又は１％以下という、５５０ｎｍにおける内部透過率を有する、項目４に記載のフィルター。
［６］
前記設計入射角において、少なくとも６０％という、４２０〜６８０ｎｍの平均内部透過率を有する、項目１に記載のフィルター。
［７］
前記設計入射角において、少なくとも７０％という、４２０〜６８０ｎｍの平均内部透過率を有する、項目６に記載のフィルター。
［８］
前記反射帯域の幅（ＦＷＨＭ）が５０ｎｍ以下である、項目１に記載のフィルター。
［９］
前記反射帯域の幅（ＦＷＨＭ）が２０〜５０ｎｍの範囲である、項目８に記載のフィルター。
［１０］
前記反射帯域の幅（ＦＷＨＭ）が２０〜４０ｎｍの範囲である、項目９に記載のフィルター。
［１１］
前記反射帯域の幅（ＦＷＨＭ）が反射帯域の短波長帯域端及び長波長帯域端を規定し、かつ前記多層光学フィルムは、前記設計入射角において、少なくとも６０％という、４２０ｎｍから前記短波長帯域端までと前記長波長帯域端から６８０ｎｍまでとで平均化された場合の内部透過率を有する、項目１に記載のフィルター。
［１２］
前記多層光学フィルムの内部透過率が、４２０ｎｍから前記短波長帯域端までと前記長波長帯域端から６８０ｎｍまでとで平均化された場合に、少なくとも７５％、又は少なくとも９０％である、項目１１に記載のフィルター。
［１３］
前記反射帯域が、赤外反射帯域の高調波である、項目１に記載のフィルター。
［１４］
色覚異常を有する個人の色識別性を改善する用途に好適なフィルターを備えるアイウェアであって、前記フィルターが、設計入射角において、少なくとも５０％という、４２０〜６８０ｎｍの平均内部透過率を有するとともに、前記設計入射角において６０ｎｍ以下の幅（ＦＷＨＭ）を有する反射帯域と関連付けられ、５５０ｎｍを含む幅１０ｎｍの波長範囲にわたって１０％以下という平均内部透過率を有する多層光学フィルムを有するものである、アイウェア。
［１５］
前記フィルターが１００ｍｍよりも大きい曲率半径を有する、項目１４に記載のアイウェア。
［１６］
前記フィルターが前記多層光学フィルムから本質的になる、項目１４に記載のアイウェア。
［１７］
前記フィルターが、吸収層と組み合わせた前記多層光学フィルムを含む、項目１４に記載のアイウェア。
［１８］
前記吸収層が、前記アイウェアの使用者に面する前記フィルターの面に配置されている、項目１７に記載のアイウェア。
［１９］
前記吸収層が緑色光を選択的に吸収する、項目１７に記載のアイウェア。
［２０］
可視反射帯域を有する多層光学フィルムと、
前記多層光学フィルムの一方の面に配置されている、緑色光を選択的に吸収する吸収帯域を有する吸収性マゼンタ層と、を含むフィルターであって、
前記吸収帯域と組み合わせた前記可視反射帯域が、設計入射角において、６０ｎｍ以下の幅（ＦＷＨＭ）を有する阻止帯域を与え、
前記多層光学フィルムと前記吸収性マゼンタ層との組み合わせが、前記設計入射角において、５５０ｎｍを含む幅１０ｎｍの波長範囲にわたって１０％以下という平均内部透過率を有し、
前記多層光学フィルムと前記吸収性マゼンタ層との前記組み合わせが、前記設計入射角で前記組み合わせに入射し、かつ光が前記多層光学フィルムに入射する前に前記吸収性マゼンタ層を通過するような方向から入射する光に対して、５００〜６００ｎｍの波長範囲にわたって５０％未満という最大反射率（％）を有する、フィルター。
［２１］
前記吸収帯域が最大吸収率及び最小透過率に相当するピークを有し、前記ピークが、５３０ｎｍ以上で、かつ５６０ｎｍ以下の波長に位置する、項目２０に記載のフィルター。
［２２］
前記吸収帯域が最大吸収率及び最小透過率によって特徴付けられるピークを有し、前記ピークが２０％よりも大きいが８０％よりも小さい内部透過率を有する、項目２０に記載のフィルター。
［２３］
前記多層光学フィルムと前記吸収性マゼンタ層との前記組み合わせが、前記設計入射角において、前記幅１０ｎｍの波長範囲にわたって５％以下という平均内部透過率を有する、項目２０に記載のフィルター。
［２４］
前記多層光学フィルムと前記吸収性マゼンタ層との前記組み合わせが、前記設計入射角において、前記幅１０ｎｍの波長範囲にわたって２％以下という平均内部透過率を有する、項目２０に記載のフィルター。
［２５］
前記阻止帯域の幅（ＦＷＨＭ）が５０ｎｍ以下であるか、又は２０〜５０ｎｍの範囲であるか、又は２０〜４０ｎｍの範囲である、項目２０に記載のフィルター。
［２６］
前記多層光学フィルムと前記吸収性マゼンタ層との前記組み合わせが、前記設計入射角において、少なくとも５０％という、４２０〜６８０ｎｍの平均内部透過率を有する、項目２０に記載のフィルター。
［２７］
前記多層光学フィルムと前記吸収性マゼンタ層とから本質的になる、項目２０に記載のフィルター。
［２８］
項目２０のフィルターを備えるアイウェア。
［２９］
前記フィルターが１００ｍｍよりも大きい曲率半径を有する、項目２８に記載のアイウェア。
［３０］
色覚異常を有する個人の色識別性を改善する方法であって、前記個人によって知覚される光をフィルターすることを含み、前記フィルターが、設計入射角において少なくとも５０％という４２０〜６８０ｎｍの平均内部透過率を有し、前記設計入射角において６０ｎｍ以下の幅（ＦＷＨＭ）を有する阻止帯域と関連付けられ、５５０ｎｍを含む幅１０ｎｍの波長範囲にわたって１０％以下という平均内部透過率を有する、方法。
［３１］
前記フィルターが、前記設計入射角において少なくとも６０％という４２０〜６８０ｎｍの平均内部透過率を、また５５０ｎｍを含む幅１０ｎｍの前記波長範囲にわたって５％以下という平均内部透過率を有する、項目３０に記載の方法。
【手続補正２】
【補正対象書類名】特許請求の範囲
【補正対象項目名】全文
【補正方法】変更
【補正の内容】
【特許請求の範囲】
【請求項１】
色覚異常を有する個人の色識別性を改善する用途に好適なフィルターであって、
設計入射角において、少なくとも５０％という４２０〜６８０ｎｍの平均内部透過率を有する多層光学フィルムであって、更に、前記設計入射角において、６０ｎｍ以下の幅（ＦＷＨＭ）を有する反射帯域と関連付けられ、５５０ｎｍを含む幅１０ｎｍの波長範囲にわたって１０％以下という平均内部透過率を有する、多層光学フィルムと、
前記多層光学フィルムの一方の面に配置された、緑色光を選択的に吸収する吸収性マゼンタ層と、を含む、フィルター。
【請求項２】
色覚異常を有する個人の色識別性を改善する用途に好適なフィルターを備えるアイウェアであって、前記フィルターが、設計入射角において、少なくとも５０％という、４２０〜６８０ｎｍの平均内部透過率を有するとともに、前記設計入射角において６０ｎｍ以下の幅（ＦＷＨＭ）を有する反射帯域と関連付けられ、５５０ｎｍを含む幅１０ｎｍの波長範囲にわたって１０％以下という平均内部透過率を有する多層光学フィルムを有するものである、アイウェア。